(57)【要約】【課題】日焼けが起きるまでの時間を算出した後に紫外線の強度が変化した場合においても、実際に日焼けが起きるまでの時間をより正確に計測することができる。【解決手段】紫外線センサー１０５は紫外線強度を測定する。ＣＰＵ１０１は、紫外線センサー１０５が測定した紫外線強度に基づいて、日焼けが起きるまでの時間を算出する。タイマー１１１は、日焼けが起きるまでの時間に基づいて、日焼けが起きるまでの残時間を計測する。ＣＰＵ１０１は、一定時間毎に紫外線センサー１０５を動作させて日焼けが起きるまでの時間を算出し、タイマー１１１が計測する日焼けが起きるまでの残時間を、新たに算出した日焼けが起きるまでの時間に更新する。【選択図】図１
2011215133.tif 000002
【特許請求の範囲】
【請求項１】
紫外線強度を測定する紫外線センサーと、
前記紫外線センサーが測定した紫外線強度に基づいて、日焼けが起きるまでの時間を算出する日焼け時間算出部と、
前記日焼けが起きるまでの時間に基づいて、日焼けが起きるまでの残時間を計測するタイマー部と、
一定時間毎に前記紫外線センサーと前記日焼け時間算出部とを動作させて日焼けが起きるまでの時間を算出させ、前記タイマー部が計測する前記日焼けが起きるまでの残時間を、新たに算出した日焼けが起きるまでの時間に更新する制御部と、
を備えたことを特徴とする紫外線測定装置。
【請求項２】
前記制御部は、前記タイマー部が計測する前記日焼けが起きるまでの残時間よりも新たに算出した日焼けが起きるまでの時間が短い場合に、前記タイマー部が計測する前記日焼けが起きるまでの残時間を新たに算出した日焼けが起きるまでの時間に更新する
ことを特徴とする請求項１に記載の紫外線測定装置。
【請求項３】
前記日焼け時間算出部は、前記紫外線センサーが紫外線強度を測定する時刻に応じて前記日焼けが起きるまでの時間を減少または増加させる
ことを特徴とする請求項１または請求項２のいずれか一項に記載の紫外線測定装置。
【請求項４】
前記制御部は、前記タイマー部が前記日焼けが起きるまでの残時間を変化させる、単位時間当たりの変化量を更新する
ことを特徴とする請求項１から３のいずれか一項に記載の紫外線測定装置。
【請求項５】
前記制御部は、前記紫外線センサーが測定した紫外線強度に基づいて、前記単位時間当たりの変化量を更新する
ことを特徴とする請求項４に記載の紫外線測定装置。
【請求項６】
前記単位時間当たりの変化量を表示する表示部
を備えたことを特徴とする請求項４又は５に記載の紫外線測定装置。
【請求項７】
前記制御部は、前記表示部が前記単位時間当たりの変化量を表示するか否かを制御する
ことを特徴とする請求項４から６のいずれか一項に記載の紫外線測定装置。
【請求項８】
前記制御部は、前記日焼けが起きるまでの時間が経過した後の超過時間を計測させる
ことを特徴とする請求項１から７のいずれか一項に記載の紫外線測定装置。
【請求項９】
前記タイマー部が計測する前記日焼けが起きるまでの残時間が、前記新たに算出した日焼けが起きるまでの時間より、短いか否かを表す情報を表示する表示部
を備えたことを特徴とする請求項１から８のいずれか一項に記載の紫外線測定装置。
【請求項１０】
前記紫外線センサーが測定した紫外線強度を表す情報を、測定した順序に並べて表示する表示部
を備えたことを特徴とする請求項１から９のいずれか一項に記載の紫外線測定装置。
【請求項１１】
前記制御部は、前記日焼けが起きるまでの時間が経過した場合に、表示部が表示に用いる色を表す情報を更新する
を備えたことを特徴とする請求項１から１０のいずれか一項に記載の紫外線測定装置。
【請求項１２】
前記制御部は、前記日焼けが起きるまでの時間が経過した場合に、前記色を表す情報が黒色を表す情報に近づくように、前記色を表す情報を更新する
ことを特徴とする請求項１１に記載の紫外線測定装置。
【請求項１３】
前記制御部は、前記タイマー部が前記日焼けが起きるまでの残時間を予め定めた変化量だけ変化させる、単位時間当たりの回数を更新する
ことを特徴とする請求項１から３のいずれか一項に記載の紫外線測定装置。
【発明の詳細な説明】
【技術分野】
【０００１】
本発明は、紫外線測定装置に関する。
【背景技術】
【０００２】
従来、紫外線量を測定する電子機器として、外出や海水浴などで肌に紫外線が照射された場合に、日焼けが起きるまでの時間を知らせる装置が知られている。また、測定した紫外線の強度と、ユーザーの肌のタイプや日焼け止めクリームなどの有無とに基づいて、日焼けが起きるまでの時間を算出して表示部に表示したり、タイマーを用いて日焼けが起きるまでの時間が経過した場合に警告する紫外線強度警報装置が知られている（例えば、特許文献１参照）。
【０００３】
図１１は、従来の紫外線強度警報装置の動作を示したフローチャートである。
（ステップＳ４０１）紫外線強度警報装置は、紫外線強度を測定する。その後、ステップＳ４０２の処理に進む。
（ステップＳ４０２）紫外線強度警報装置は、ステップＳ４０１で測定した紫外線強度に基づいて日焼けが起きるまでの時間を算出する。その後、ステップＳ４０３の処理に進む。
（ステップＳ４０３）紫外線強度警報装置は、日焼けが起きるまでの残時間を計測するタイマーを作動させる。その後、ステップＳ４０４の処理に進む。
（ステップＳ４０４）紫外線強度警報装置は、タイマーの残り時間が「０」であるか否かを判定する。タイマーの残り時間が「０」である場合はステップＳ４０５の処理に進み、それ以外の場合にはステップＳ４０４の処理を再度実行する。
（ステップＳ４０５）紫外線強度警報装置は日焼けが起きるまでの時間が経過したことを警告する。その後、処理を終了する。
【先行技術文献】
【特許文献】
【０００４】
【特許文献１】特開平５−１４９７８５号公報
【発明の概要】
【発明が解決しようとする課題】
【０００５】
しかしながら、上記の紫外線強度警報装置では、紫外線の強度を測定して日焼けが起きるまでの時間を算出した後に紫外線の強度が変化した場合においても、一度算出した日焼けが起きるまでの時間は変わらない。そのため、紫外線の強度が変化した場合には、紫外線強度警報装置が報知する日焼けが起きるまでの時間と実際に日焼けが起きるまでの時間とは誤差が生じるという問題がある。
【０００６】
そこで、本発明は、上述の事情を鑑みてなされたものであり、日焼けが起きるまでの時間を算出した後に紫外線の強度が変化した場合においても、実際に日焼けが起きるまでの時間をより正確に計測することができる紫外線測定装置を提供することを目的とする。
【課題を解決するための手段】
【０００７】
本発明は、紫外線強度を測定する紫外線センサーと、前記紫外線センサーが測定した紫外線強度に基づいて、日焼けが起きるまでの時間を算出する日焼け時間算出部と、前記日焼けが起きるまでの時間に基づいて、日焼けが起きるまでの残時間を計測するタイマー部と、一定時間毎に前記紫外線センサーと前記日焼け時間算出部とを動作させて日焼けが起きるまでの時間を算出させ、前記タイマー部が計測する前記日焼けが起きるまでの残時間を、新たに算出した日焼けが起きるまでの時間に更新する制御部と、を備えたことを特徴とする紫外線測定装置である。
【０００８】
また、本発明の紫外線測定装置において、前記制御部は、前記タイマー部が計測する前記日焼けが起きるまでの残時間よりも新たに算出した日焼けが起きるまでの時間が短い場合に、前記タイマー部が計測する前記日焼けが起きるまでの残時間を新たに算出した日焼けが起きるまでの時間に更新することを特徴とする。
【０００９】
また、本発明の紫外線測定装置において、前記日焼け時間算出部は、前記紫外線センサーが紫外線強度を測定する時刻に応じて前記日焼けが起きるまでの時間を減少または増加させることを特徴とする。
【００１０】
また、本発明の紫外線測定装置において、前記制御部は、前記タイマー部が前記日焼けが起きるまでの残時間を変化させる、単位時間当たりの変化量を更新することを特徴とする。
【００１１】
また、本発明の紫外線測定装置において、前記制御部は、前記紫外線センサーが測定した紫外線強度に基づいて、前記単位時間当たりの変化量を更新することを特徴とする。
【００１２】
また、本発明の紫外線測定装置において、前記単位時間当たりの変化量を表示する表示部を備えたことを特徴とする。
【００１３】
また、本発明の紫外線測定装置において、前記制御部は、前記表示部が前記単位時間当たりの変化量を表示するか否かを制御することを特徴とする。
【００１４】
また、本発明の紫外線測定装置において、前記制御部は、前記日焼けが起きるまでの時間が経過した後の超過時間を計測させることを特徴とする。
【００１５】
また、本発明の紫外線測定装置において、前記タイマー部が計測する前記日焼けが起きるまでの残時間が、前記新たに算出した日焼けが起きるまでの時間より、短いか否かを表す情報を表示する表示部を備えたことを特徴とする。
【００１６】
また、本発明の紫外線測定装置において、前記紫外線センサーが測定した紫外線強度を表す情報を、測定した順序に並べて表示する表示部を備えたことを特徴とする。
【００１７】
また、本発明の紫外線測定装置において、前記制御部は、前記日焼けが起きるまでの時間が経過した場合に、表示部が表示に用いる色を表す情報を更新することを特徴とする。
【００１８】
また、本発明の紫外線測定装置において、前記制御部は、前記日焼けが起きるまでの時間が経過した場合に、前記色を表す情報が黒色を表す情報に近づくように、前記色を表す情報を更新することを特徴とする。
【００１９】
また、本発明の紫外線測定装置において、前記制御部は、前記タイマー部が前記日焼けが起きるまでの残時間を予め定めた変化量だけ変化させる、単位時間当たりの回数を更新することを特徴とする。
【発明の効果】
【００２０】
本発明によれば、制御部は、一定時間毎に記紫外線センサーと日焼け時間算出部とを動作させて日焼けが起きるまでの時間を算出させ、タイマー部が計測する日焼けが起きるまでの残時間を、新たに算出した日焼けが起きるまでの時間に更新する。これにより、日焼けが起きるまでの時間を算出した後に紫外線の強度が変化した場合においても、実際に日焼けが起きるまでの時間をより正確に計測することができる。
【図面の簡単な説明】
【００２１】
【図１】本発明の第一の実施形態における紫外線測定装置の構成を示したブロック図である。
【図２】本発明の第一の実施形態における紫外線測定装置の動作を示したフローチャートである。
【図３】本発明の第二の実施形態における紫外線測定装置の動作を示したフローチャートである。
【図４】本発明の第三の実施形態における紫外線測定装置の動作を示したフローチャートである。
【図５】本発明の第四の実施形態における紫外線測定装置の動作を示したフローチャートである。
【図６】本発明の第五の実施形態における紫外線測定装置の動作を示したフローチャートである。
【図７】本発明の第五の実施形態における表示部の表示の一例を示す概略図である。
【図８】本発明の第一から第三、及び第五の実施形態における表示部の表示の一例を示す概略図である。
【図９】本発明の第一から第五の実施形態における表示部の表示の一例を示す概略図である。
【図１０】本発明の第一から第三、及び第五の実施形態における表示部の表示の別の一例を示す概略図である。
【図１１】従来の紫外線強度警報装置の動作を示したフローチャートである。
【発明を実施するための形態】
【００２２】
（第一の実施形態）
以下、本発明の第一の実施形態について、図面を参照しながら説明する。図１は、本実施形態における紫外線測定装置の構成を示したブロック図である。図示する例では、紫外線測定装置１００は、ＣＰＵ１０１（中央処理装置、制御部、日焼け時間算出部）と、発振回路１０２と、分周回路１０３と、入力部１０４と、紫外線センサー１０５と、Ａ／Ｄ（アナログ−デジタル）変換部１０６と、時刻計測部１０７と、表示部１０８と、ＲＯＭ（Ｒｅａｄ  Ｏｎｌｙ  Ｍｅｍｏｒｙ、読み出し専用メモリ）１０９と、ＲＡＭ（Ｒａｎｄｏｍ  Ａｃｃｅｓｓ  Ｍｅｍｏｒｙ、ランダムアクセスメモリ）１１０と、タイマー１１１と、電池１１２とを備える。
【００２３】
ＣＰＵ１０１は、制御部として動作し、紫外線測定装置１００が備える各部の制御を行う。また、ＣＰＵ１０１は、日焼け時間算出部として動作し、紫外線センサー１０５が測定した紫外線強度に基づいて日焼けが起きるまでの時間を算出する。なお、日焼けが起きるまでの時間の算出方法は、例えは特開平５−１４９７８５号公報に記載の方法など、日焼けが起きるまでの時間を算出することができる方法であればどのような方法を用いてもよい。
【００２４】
発振回路１０２は、所定周波数の信号を出力する。分周回路１０３は、発振回路１０２の出力信号を所定分周比で分周してＣＰＵ１０１用の規準クロック信号や計時用の時計信号を出力する。入力部１０４は、外部から操作可能なスイッチによって構成されており、入力を受け付ける。紫外線センサー１０５は、紫外線の強度に応じたアナログ信号を出力する。Ａ／Ｄ変換部１０６は、紫外線センサー１０５が出力するアナログ信号をデジタル信号に変換する。時刻計測部１０７は、現在の日時（日付、時刻）を示す情報を出力する。表示部１０８は、日焼けが起きるまでの時間や、紫外線の強度を示す情報（測定値（μＷ／ｃｍ２）、ＵＶインデックスなど）や、日時などを表示する。
【００２５】
ＲＯＭ１０９は、ＣＰＵ１０１が実行するプログラムを予め記憶している。ＲＡＭ１１０は、紫外線測定装置１００が用いるデータを記憶する。タイマー１１１は、日焼けが起きるまでの残時間を計測する。電池１１２は、紫外線測定装置１００が備える各部に電力を供給する。
【００２６】
次に、本実施形態における紫外線測定装置１００の動作について説明する。図２は、本実施形態における紫外線測定装置１００の動作を示したフローチャートである。
【００２７】
（ステップＳ１０１）紫外線センサー１０５は、紫外線の強度に応じたアナログ信号をＡ／Ｄ変換部１０６に出力する。Ａ／Ｄ変換部１０６は、入力されたアナログ信号をデジタル信号に変換してＣＰＵ１０１に出力する。ＣＰＵ１０１は、入力されたデジタル信号に基づいて紫外線の強度を特定し、時刻計測部１０７が出力する現在の時刻と関連付けてＲＡＭ１１０に記憶させる。その後、ステップＳ１０２の処理に進む。
【００２８】
（ステップＳ１０２）ＣＰＵ１０１は、ステップＳ１０１で特定した紫外線の強度に基づいて、日焼けが起きるまでの時間を算出する。その後、ステップＳ１０３の処理に進む。なお、日焼けが起きるまでの時間の算出方法はどのような方法を用いてもよい。
【００２９】
（ステップＳ１０３）ＣＰＵ１０１は、ステップＳ１０２で算出した日焼けが起きるまでの時間をカウントダウンすることにより日焼けが起きるまでの残り時間を計測するタイマー１１１を作動させる。その後、ステップＳ１０４の処理に進む。なお、ＣＰＵ１０１は、タイマー１１１が計測する日焼けが起きるまでの残り時間を表示部１０８に表示させるように制御してもよい。
【００３０】
（ステップＳ１０４）ＣＰＵ１０１は、タイマー１１１が計測する日焼けが起きるまでの残り時間が「０」であるか否かを判定する。タイマー１１１が計測する日焼けが起きるまでの残り時間が「０」であるとＣＰＵ１０１が判定した場合にはステップＳ１０９の処理に進み、それ以外の場合にはステップＳ１０５の処理に進む。
【００３１】
（ステップＳ１０５）ＣＰＵ１０１は、時刻計測部１０７が出力する現在の時刻と、ＲＡＭ１１０に記憶されている前回紫外線の強度を測定した時刻とに基づいて、前回紫外線の強度を測定した時刻からｎ分（一定時間）経過したか否かを判定する。時刻計測部１０７が出力する現在の時刻が、ＲＡＭ１１０に記憶されている前回紫外線の強度を測定した時刻からｎ分経過しているとＣＰＵ１０１が判定した場合にはステップＳ１０６の処理に進み、それ以外の場合にはステップＳ１０４の処理に戻る。なお、紫外線測定装置１００が紫外線の強度を測定する時間間隔（一定時間）は予め定められていてもよく、ユーザーの指定により任意に変更できるようにしてもよい。
【００３２】
（ステップＳ１０６）紫外線センサー１０５は、紫外線の強度に応じたアナログ信号をＡ／Ｄ変換部１０６に出力する。Ａ／Ｄ変換部１０６は、入力されたアナログ信号をデジタル信号に変換してＣＰＵ１０１に出力する。ＣＰＵ１０１は、入力されたデジタル信号に基づいて紫外線の強度を特定し、時刻計測部１０７が出力する現在の時刻と関連付けてＲＡＭ１１０に記憶させる。その後、ステップＳ１０７の処理に進む。
【００３３】
（ステップＳ１０７）ＣＰＵ１０１は、ステップＳ１０６で特定した紫外線の強度に基づいて、現在の時刻から日焼けが起きるまでの時間を算出する。その後、ステップＳ１０８の処理に進む。なお、現在の時刻から日焼けが起きるまでの時間の算出方法はどのような方法を用いてもよい。例えば、ステップＳ１０２と同様の方法で日焼けが起きるまでの時間を算出し、算出した時間からステップＳ１０１で紫外線強度の測定を開始してからの時間を減算した値を現在の時刻から日焼けが起きるまでの時間とする。
【００３４】
（ステップＳ１０８）ＣＰＵ１０１は、タイマー１１１が計測中である日焼けが起きるまでの残り時間を、ステップＳ１０７で算出した現在の時刻から日焼けが起きるまでの時間に更新する。タイマー１１１は、更新された日焼けが起きるまでの残り時間を計測する。その後、ステップＳ１０４の処理に戻る。
【００３５】
（ステップＳ１０９）ＣＰＵ１０１は、日焼けが起きるまでの時間が経過したことを警告する表示を表示部１０８に表示させる。その後、処理を終了する。なお、日焼けが起きるまでの時間が経過したことを警告する方法として、紫外線測定装置１００が音声出力部を備え、音声を用いて警告を行うようにしてもよい。
【００３６】
上述したとおり、本実施形態によれば、時間が経過すると紫外線の強度が変化する可能性があるため、一定時間が経過する毎に紫外線強度を測定し、新たに測定した紫外線強度に基づいて現在の時刻から日焼けが起きるまでの残り時間を再度算出する。これにより、一度紫外線の強度を測定して日焼けが起きるまでの時間を算出した後に紫外線の強度が変化した場合においても、実際に日焼けが起きるまでの時間をより正確に計測することができる。
【００３７】
（第二の実施形態）
以下、本発明の第二の実施形態について、図面を参照しながら説明する。本実施形態の紫外線測定装置１００の構成は、第一の実施形態における紫外線測定装置１００の構成と同様の構成である。本実施形態の紫外線測定装置１００と第一の実施形態における紫外線測定装置１００とで異なる点は、本実施形態の紫外線測定装置１００は、タイマー１１１が計測している日焼けが起きるまでの残り時間よりも、新たに算出した現在の時刻から日焼けが起きるまでの時間が短い場合にのみ、タイマー１１１が計測している日焼けが起きるまでの残り時間を、新たに算出した現在の時刻から日焼けが起きるまでの時間に更新する。
【００３８】
これは、偶然日陰に入った時など紫外線の強度が弱い時に紫外線を測定して日焼けまでの残り時間を算出した場合、日なたなど紫外線の強度が強い場所での日焼けまでの残り時間と大きく異なってしまい、ユーザーに日なたでの日焼けまでの残り時間を報知することができない。そのため、タイマー１１１が計測している日焼けが起きるまでの残り時間よりも、新たに算出した現在の時刻から日焼けが起きるまでの時間が短い場合にのみ、タイマー１１１が計測している日焼けが起きるまでの残り時間を、新たに算出した現在の時刻から日焼けが起きるまでの時間に更新する。
【００３９】
次に、本実施形態における紫外線測定装置１００の動作について説明する。図３は、本実施形態における紫外線測定装置１００の動作を示したフローチャートである。
【００４０】
（ステップＳ２０１）紫外線センサー１０５は、紫外線の強度に応じたアナログ信号をＡ／Ｄ変換部１０６に出力する。Ａ／Ｄ変換部１０６は、入力されたアナログ信号をデジタル信号に変換してＣＰＵ１０１に出力する。ＣＰＵ１０１は、入力されたデジタル信号に基づいて紫外線の強度を特定し、時刻計測部１０７が出力する現在の時刻と関連付けてＲＡＭ１１０に記憶させる。その後、ステップＳ２０２の処理に進む。
【００４１】
（ステップＳ２０２）ＣＰＵ１０１は、ステップＳ２０１で特定した紫外線の強度に基づいて、日焼けが起きるまでの時間を算出する。その後、ステップＳ２０３の処理に進む。なお、日焼けが起きるまでの時間の算出方法はどのような方法を用いてもよい。
【００４２】
（ステップＳ２０３）ＣＰＵ１０１は、ステップＳ２０２で算出した日焼けが起きるまでの時間をカウントダウンすることにより日焼けが起きるまでの残り時間を計測するタイマー１１１を作動させる。その後、ステップＳ２０４の処理に進む。なお、ＣＰＵ１０１は、タイマー１１１が計測する日焼けが起きるまでの残り時間を表示部１０８に表示させるように制御してもよい。
【００４３】
（ステップＳ２０４）ＣＰＵ１０１は、タイマー１１１が計測する日焼けが起きるまでの残り時間が「０」であるか否かを判定する。タイマー１１１が計測する日焼けが起きるまでの残り時間が「０」であるとＣＰＵ１０１が判定した場合にはステップＳ２１０の処理に進み、それ以外の場合にはステップＳ２０５の処理に進む。
【００４４】
（ステップＳ２０５）ＣＰＵ１０１は、時刻計測部１０７が出力する現在の時刻と、ＲＡＭ１１０に記憶されている前回紫外線の強度を測定した時刻とに基づいて、前回紫外線の強度を測定した時刻からｎ分（一定時間）経過したか否かを判定する。時刻計測部１０７が出力する現在の時刻が、ＲＡＭ１１０に記憶されている前回紫外線の強度を測定した時刻からｎ分経過しているとＣＰＵ１０１が判定した場合にはステップＳ２０６の処理に進み、それ以外の場合にはステップＳ２０４の処理に戻る。なお、紫外線測定装置１００が紫外線の強度を測定する時間間隔（一定時間）は予め定められていてもよく、ユーザーの指定により任意に変更できるようにしてもよい。
【００４５】
（ステップＳ２０６）紫外線センサー１０５は、紫外線の強度に応じたアナログ信号をＡ／Ｄ変換部１０６に出力する。Ａ／Ｄ変換部１０６は、入力されたアナログ信号をデジタル信号に変換してＣＰＵ１０１に出力する。ＣＰＵ１０１は、入力されたデジタル信号に基づいて紫外線の強度を特定し、時刻計測部１０７が出力する現在の時刻と関連付けてＲＡＭ１１０に記憶させる。その後、ステップＳ２０７の処理に進む。
【００４６】
（ステップＳ２０７）ＣＰＵ１０１は、ステップＳ２０６で特定した紫外線の強度に基づいて、現在の時刻から日焼けが起きるまでの時間を算出する。その後、ステップＳ２０８の処理に進む。なお、現在の時刻から日焼けが起きるまでの時間の算出方法はどのような方法を用いてもよい。
【００４７】
（ステップＳ２０８）ＣＰＵ１０１は、タイマー１１１が計測している日焼けが起きるまでの残り時間よりも、ステップＳ２０７で算出した現在の時刻から日焼けが起きるまでの時間の方が短いか否かを判定する。タイマー１１１が計測している日焼けが起きるまでの残り時間よりも、ステップＳ２０７で算出した現在の時刻から日焼けが起きるまでの時間の方が短いとＣＰＵ１０１が判定した場合にはステップＳ２０９の処理に進み、それ以外の場合にはステップＳ２０４の処理に戻る。
【００４８】
（ステップＳ２０９）ＣＰＵ１０１は、タイマー１１１が計測している日焼けが起きるまでの残り時間を、ステップＳ２０７で算出した現在の時刻から日焼けが起きるまでの時間に更新する。タイマー１１１は、更新された日焼けが起きるまでの残り時間を計測する。その後、ステップＳ２０４の処理に戻る。
【００４９】
（ステップＳ２１０）ＣＰＵ１０１は、日焼けが起きるまでの時間が経過したことを警告する表示を表示部１０８に表示させる。その後、処理を終了する。なお、日焼けが起きるまでの時間が経過したことを警告する方法として、紫外線測定装置１００が音声出力部を備え、音声を用いて警告を行うようにしてもよい。
【００５０】
上述したとおり、本実施形態によれば、時間が経過すると紫外線の強度が変化する可能性があるため、一定時間が経過する毎に紫外線強度を測定し、新たに測定した紫外線強度に基づいて日焼けが起きるまでの残り時間を再度算出する。さらに、タイマー１１１が計測している日焼けが起きるまでの残り時間よりも、新たに算出した日焼けが起きるまでの時間が短い場合にのみ、タイマー１１１が計測している日焼けが起きるまでの残り時間を、新たに算出した現在の時刻から日焼けが起きるまでの時間に更新する。
【００５１】
これにより、偶然日陰に入った時など紫外線の強度が弱い時に紫外線を測定して日焼けまでの残り時間を算出した場合においても、日なたでの日焼けまでの残り時間を計測することができる。
【００５２】
（第三の実施形態）
以下、本発明の第三の実施形態について、図面を参照しながら説明する。本実施形態の紫外線測定装置１００の構成は、第一の実施形態における紫外線測定装置１００の構成と同様の構成である。本実施形態の紫外線測定装置１００と第一の実施形態における紫外線測定装置１００とで異なる点は、紫外線強度を測定した時刻によってこれから紫外線の強度が強くまたは弱くなることが分かるため、本実施形態の紫外線測定装置１００は、紫外線強度を測定する時刻に応じて、日焼けが起きるまでの時間を補正する。具体的には、これから紫外線の強度が強くなる時間帯に紫外線強度を測定した場合には日焼けが起きるまでの時間が短くなるように補正し、これから紫外線の強度が弱くなる時間帯に紫外線強度を測定した場合には日焼けが起きるまでの時間が長くなるように補正する。
【００５３】
次に、本実施形態における紫外線測定装置１００の動作について説明する。図４は、本実施形態における紫外線測定装置１００の動作を示したフローチャートである。
【００５４】
（ステップＳ３０１）紫外線センサー１０５は、紫外線の強度に応じたアナログ信号をＡ／Ｄ変換部１０６に出力する。Ａ／Ｄ変換部１０６は、入力されたアナログ信号をデジタル信号に変換してＣＰＵ１０１に出力する。ＣＰＵ１０１は、入力されたデジタル信号に基づいて紫外線の強度を特定し、時刻計測部１０７が出力する現在の時刻と関連付けてＲＡＭ１１０に記憶させる。その後、ステップＳ３０２の処理に進む。
【００５５】
（ステップＳ３０２）ＣＰＵ１０１は、ステップＳ３０１で特定した紫外線の強度に基づいて、日焼けが起きるまでの時間を算出する。その後、ステップＳ３０３の処理に進む。なお、日焼けが起きるまでの時間の算出方法はどのような方法を用いてもよい。
【００５６】
（ステップＳ３０３）ＣＰＵ１０１は、ステップＳ３０２で算出した日焼けが起きるまでの時間をカウントダウンすることにより日焼けが起きるまでの残り時間を計測するタイマー１１１を作動させる。その後、ステップＳ３０４の処理に進む。なお、ＣＰＵ１０１は、タイマー１１１が計測する日焼けが起きるまでの残り時間を表示部１０８に表示させるように制御してもよい。
【００５７】
（ステップＳ３０４）ＣＰＵ１０１は、タイマー１１１が計測する日焼けが起きるまでの残り時間が「０」であるか否かを判定する。タイマー１１１が計測する日焼けが起きるまでの残り時間が「０」であるとＣＰＵ１０１が判定した場合にはステップＳ３１５の処理に進み、それ以外の場合にはステップＳ３０５の処理に進む。
【００５８】
（ステップＳ３０５）ＣＰＵ１０１は、時刻計測部１０７が出力する現在の時刻と、ＲＡＭ１１０に記憶されている前回紫外線の強度を測定した時刻とに基づいて、前回紫外線の強度を測定した時刻からｎ分（一定時間）経過したか否かを判定する。時刻計測部１０７が出力する現在の時刻が、ＲＡＭ１１０に記憶されている前回紫外線の強度を測定した時刻からｎ分経過しているとＣＰＵ１０１が判定した場合にはステップＳ３０６の処理に進み、それ以外の場合にはステップＳ３０４の処理に戻る。なお、紫外線測定装置１００が紫外線の強度を測定する時間間隔（一定時間）は予め定められていてもよく、ユーザーの指定により任意に変更できるようにしてもよい。
【００５９】
（ステップＳ３０６）紫外線センサー１０５は、紫外線の強度に応じたアナログ信号をＡ／Ｄ変換部１０６に出力する。Ａ／Ｄ変換部１０６は、入力されたアナログ信号をデジタル信号に変換してＣＰＵ１０１に出力する。ＣＰＵ１０１は、入力されたデジタル信号に基づいて紫外線の強度を特定し、時刻計測部１０７が出力する現在の時刻と関連付けてＲＡＭ１１０に記憶させる。その後、ステップＳ３０７の処理に進む。
【００６０】
（ステップＳ３０７）ＣＰＵ１０１は、時刻計測部１０７が出力する現在の時刻が午前８時００分から午前１０時５９分の間であるか否かを判定する。時刻計測部１０７が出力する現在の時刻が午前８時００分から午前１０時５９分の間であるとＣＰＵ１０１が判定した場合にはステップＳ３０８の処理に進み、それ以外の場合にはステップＳ３０９の処理に進む。
【００６１】
（ステップＳ３０８）ＣＰＵ１０１は、ステップＳ３０６で特定した紫外線の強度に基づいて、現在の時刻から日焼けが起きるまでの時間を算出する。その後、ステップＳ３１３の処理に進む。なお、現在の時刻から日焼けが起きるまでの時間の算出方法はどのような方法を用いてもよい。
【００６２】
（ステップＳ３０９）ＣＰＵ１０１は、時刻計測部１０７が出力する現在の時刻が午前１１時００分から午後３時５９分の間であるか否かを判定する。時刻計測部１０７が出力する現在の時刻が午前１１時００分から午後３時５９分の間であるとＣＰＵ１０１が判定した場合にはステップＳ３１０の処理に進み、それ以外の場合にはステップＳ３１１の処理に進む。
【００６３】
（ステップＳ３１０）ＣＰＵ１０１は、ステップＳ３０６で特定した紫外線の強度に基づいて、現在の時刻から日焼けが起きるまでの時間を算出し、算出した時間から一定時間減少させた時間（例えば、算出した時間から１０％減少させた時間）を現在の時刻から日焼けが起きるまでの時間とする。その後、ステップＳ３１３の処理に進む。なお、現在の時刻から日焼けが起きるまでの時間の算出方法はどのような方法を用いてもよい。また、算出した時間から減少させる一定時間は予め定められていてもよく、ユーザーの指定により任意に変更できるようにしてもよい。
【００６４】
（ステップＳ３１１）ＣＰＵ１０１は、時刻計測部１０７が出力する現在の時刻が午後４時００分から午後７時５９分の間であるか否かを判定する。時刻計測部１０７が出力する現在の時刻が午後４時００分から午後７時５９分の間であるとＣＰＵ１０１が判定した場合にはステップＳ３１２の処理に進み、それ以外の場合には処理を終了する。
【００６５】
（ステップＳ３１２）ＣＰＵ１０１は、ステップＳ３０６で特定した紫外線の強度に基づいて、現在の時刻から日焼けが起きるまでの時間を算出し、算出した時間から一定時間増加させた時間（例えば、算出した時間から１０％増加させた時間）を現在の時刻から日焼けが起きるまでの時間とする。その後、ステップＳ３１３の処理に進む。なお、現在の時刻から日焼けが起きるまでの時間の算出方法はどのような方法を用いてもよい。また、算出した時間から増加させる一定時間は予め定められていてもよく、ユーザーの指定により任意に変更できるようにしてもよい。
【００６６】
（ステップＳ３１３）ＣＰＵ１０１は、タイマー１１１が計測している日焼けが起きるまでの残り時間よりも、ステップＳ３０８またはステップＳ３１０またはステップＳ３１２で算出した現在の時刻から日焼けが起きるまでの時間の方が短いか否かを判定する。タイマー１１１が計測している日焼けが起きるまでの残り時間よりも、ステップＳ３０８またはステップＳ３１０またはステップＳ３１２で算出した現在の時刻から日焼けが起きるまでの時間の方が短いとＣＰＵ１０１が判定した場合にはステップＳ３１４の処理に進み、それ以外の場合にはステップＳ３０４の処理に戻る。
【００６７】
（ステップＳ３１４）ＣＰＵ１０１は、タイマー１１１が計測している日焼けが起きるまでの残り時間を、ステップＳ３０８またはステップＳ３１０またはステップＳ３１２で算出した現在の時刻から日焼けが起きるまでの時間に更新する。タイマー１１１は、更新された日焼けが起きるまでの残り時間を計測する。その後、ステップＳ３０４の処理に戻る。
【００６８】
（ステップＳ３１５）ＣＰＵ１０１は、日焼けが起きるまでの時間が経過したことを警告する表示を表示部１０８に表示させる。その後、処理を終了する。なお、日焼けが起きるまでの時間が経過したことを警告する方法として、紫外線測定装置１００が音声出力部を備え、音声を用いて警告を行うようにしてもよい。
【００６９】
なお、図４に示した例では、午前１１時００分から午後３時５９分の間に紫外線強度を計測した場合においては、算出した日焼けが起きるまでの時間から一定時間減少させた時間を現在の時刻から日焼けが起きるまでの時間とし、午後４時００分から午後７時５９分の間に紫外線強度を計測した場合においては、算出した日焼けが起きるまでの時間から一定時間増加させた時間を現在の時刻から日焼けが起きるまでの時間としているがこれに限らない。例えば、紫外線の強度を測定した後に紫外線の強度が強くまたは弱くなる時刻が季節や場所に応じて変化する場合、季節や場所に応じて上記時間帯を任意に設定するようにしてもよい。また、ユーザーの指定により任意に上記時間帯を変更できるようにしてもよい。
【００７０】
上述したとおり、本実施形態によれば、時間が経過すると紫外線の強度が変化する可能性があるため、一定時間が経過する毎に紫外線強度を測定し、新たに測定した紫外線強度に基づいて日焼けが起きるまでの残り時間を再度算出する。さらに、紫外線強度を測定した時刻によってこれから紫外線の強度が強くまたは弱くなることが分かるため、紫外線強度を測定する時刻に応じて日焼けが起きるまでの時間を補正する。これにより、より正確な日焼けまでの残り時間を計測することができる。
【００７１】
（第四の実施形態）
以下、本発明の第四の実施形態について、図面を参照しながら説明する。本実施形態の紫外線測定装置１００の構成は、第一の実施形態における紫外線測定装置１００の構成と同様の構成である。本実施形態の紫外線測定装置１００と第一の実施形態における紫外線測定装置１００とで異なる点は、本実施形態の紫外線測定装置１００は、タイマー１１１が計測している日焼けが起きるまでの残り時間と、新たに算出した現在の時刻から日焼けが起きるまでの時間とが異なる場合に、タイマー１１１が日焼けが起きるまでの残時間を変化させる、単位時間当たりの変化量（タイマー変化量）を更新する。具体的には、本実施形態の紫外線測定装置１００は、タイマー変化量をｍ秒（ｍ≠１）に設定する。これにより、本実施形態の紫外線測定装置１００は、日焼けが起きるまでの残り時間を、実際の時間の１秒（単位時間）に対してｍ秒変化させる。なお、本実施形態では、単位時間が１秒である一例について説明するが、本発明はこれに限られず、単位時間は予め定めた時間、例えば、２秒や１分としてもよい。
【００７２】
次に、本実施形態における紫外線測定装置１００の動作について説明する。図５は、本実施形態における紫外線測定装置１００の動作を示したフローチャートである。
【００７３】
（ステップＳ５０１）紫外線センサー１０５は、紫外線の強度に応じたアナログ信号をＡ／Ｄ変換部１０６に出力する。Ａ／Ｄ変換部１０６は、入力されたアナログ信号をデジタル信号に変換してＣＰＵ１０１に出力する。ＣＰＵ１０１は、入力されたデジタル信号に基づいて紫外線の強度を特定し、時刻計測部１０７が出力する現在の時刻と関連付けてＲＡＭ１１０に記憶させる。その後、ステップＳ５０２の処理に進む。
【００７４】
（ステップＳ５０２）ＣＰＵ１０１は、ステップＳ５０１で特定した紫外線の強度に基づいて、日焼けが起きるまでの時間を算出する。その後、ステップＳ５０３の処理に進む。なお、日焼けが起きるまでの時間の算出方法はどのような方法を用いてもよい。
【００７５】
（ステップＳ５０３）ＣＰＵ１０１は、ステップＳ５０２で算出した日焼けが起きるまでの時間をカウントダウンすることにより日焼けが起きるまでの残り時間を計測するタイマー１１１を作動させる。その後、ステップＳ５０４の処理に進む。
【００７６】
（ステップＳ５０４）タイマー１１１は、日焼けが起きるまでの残り時間を、実際の時間の１秒に対して１秒カウントダウンすることにより計測する。その後、ステップＳ５０５の処理に進む。なお、ＣＰＵ１０１は、タイマー１１１が計測する日焼けが起きるまでの残り時間を表示部１０８に表示させるように制御してもよい。
【００７７】
（ステップＳ５０５）ＣＰＵ１０１は、タイマー１１１が計測する日焼けが起きるまでの残り時間が「０」であるか否かを判定する。タイマー１１１が計測する日焼けが起きるまでの残り時間が「０」であるとＣＰＵ１０１が判定した場合にはステップＳ５１１の処理に進み、それ以外の場合にはステップＳ５０６の処理に進む。
【００７８】
（ステップＳ５０６）ＣＰＵ１０１は、時刻計測部１０７が出力する現在の時刻と、ＲＡＭ１１０に記憶されている前回紫外線の強度を測定した時刻とに基づいて、前回紫外線の強度を測定した時刻からｎ分（一定時間）経過したか否かを判定する。時刻計測部１０７が出力する現在の時刻が、ＲＡＭ１１０に記憶されている前回紫外線の強度を測定した時刻からｎ分経過しているとＣＰＵ１０１が判定した場合にはステップＳ５０７の処理に進み、それ以外の場合にはステップＳ５０５の処理に戻る。なお、紫外線測定装置１００が紫外線の強度を測定する時間間隔（一定時間）は予め定められていてもよく、ユーザーの指定により任意に変更できるようにしてもよい。
【００７９】
（ステップＳ５０７）紫外線センサー１０５は、紫外線の強度に応じたアナログ信号をＡ／Ｄ変換部１０６に出力する。Ａ／Ｄ変換部１０６は、入力されたアナログ信号をデジタル信号に変換してＣＰＵ１０１に出力する。ＣＰＵ１０１は、入力されたデジタル信号に基づいて紫外線の強度を特定し、時刻計測部１０７が出力する現在の時刻と関連付けてＲＡＭ１１０に記憶させる。その後、ステップＳ５０８の処理に進む。
【００８０】
（ステップＳ５０８）ＣＰＵ１０１は、ステップＳ５０７で特定した紫外線の強度に基づいて、現在の時刻から日焼けが起きるまでの時間を算出する。その後、ステップＳ５０９の処理に進む。なお、現在の時刻から日焼けが起きるまでの時間の算出方法はどのような方法を用いてもよい。
【００８１】
（ステップＳ５０９）ＣＰＵ１０１は、タイマー１１１が計測している日焼けが起きるまでの残り時間よりも、ステップＳ５０８で算出した現在の時刻から日焼けが起きるまでの時間の方が短いか否かを判定する。タイマー１１１が計測している日焼けが起きるまでの残り時間よりも、ステップＳ５０８で算出した現在の時刻から日焼けが起きるまでの時間の方が短いとＣＰＵ１０１が判定した場合にはステップＳ５１０の処理に進み、それ以外の場合にはステップＳ５０５の処理に戻る。
【００８２】
（ステップＳ５１０）ＣＰＵ１０１は、タイマー変化量の値ｍ（ｍ＞１）を決定する。例えば、ＣＰＵ１０１は、ステップＳ５０８で算出した現在の時刻から日焼けが起きるまでの時間から、タイマー１１１が計測している日焼けが起きるまでの残り時間を除算した値を、ｍに決定する。ＣＰＵ１０１は、タイマー１１１が計測に用いるタイマー変化量に、決定したｍ秒を設定する。なお、ＣＰＵ１０１は、設定したタイマー変化量ｍ、又は、カウントダウンしたタイマー変化量の総和を、表示部１０８に表示させるように制御してもよい。
【００８３】
設定後、タイマー１１１は、日焼けが起きるまでの残り時間を、実際の時間の１秒に対してｍ秒カウントダウンすることにより計測する。例えば、タイマー１１１は、日焼けが起きるまでの残り時間が３０分００秒のときにｍ＝２が設定された場合には、１秒後に日焼けが起きるまでの残り時間を２９分５８秒とし、２秒後に日焼けが起きるまでの残り時間を２９分５６秒とするように、カウントダウンする。その後、ステップＳ５０５の処理に戻る。
【００８４】
（ステップＳ５１１）ＣＰＵ１０１は、日焼けが起きるまでの時間が経過したことを警告する表示を表示部１０８に表示させる。その後、処理を終了する。なお、日焼けが起きるまでの時間が経過したことを警告する方法として、紫外線測定装置１００が音声出力部を備え、音声を用いて警告を行うようにしてもよい。
【００８５】
上述したとおり、本実施形態によれば、時間が経過すると紫外線の強度が変化する可能性があるため、一定時間が経過する毎に紫外線強度を測定し、新たに測定した紫外線強度に基づいてタイマー変化量ｍを更新する。さらに、タイマー１１１が計測している日焼けが起きるまでの残り時間よりも、新たに算出した日焼けが起きるまでの時間が短い場合にのみ、タイマー変化量ｍを更新する。
【００８６】
これにより、偶然日陰に入った時など紫外線の強度が弱い時に紫外線を測定して日焼けまでの残り時間を算出した場合においても、日なたでの日焼けまでの残り時間を計測することができる。さらに、本実施形態によれば、日焼けが起きるまでの残り時間が実際の時間の１秒に対してｍ秒（ｍ＞１）減算されるので、ユーザーに時間が速く進む印象を与えることができ、より有効に日焼けに対する注意を喚起できる。
【００８７】
（変形例）
以下、本発明の第四の実施形態の変形例について説明する。本変形例において、紫外線測定装置１００は、タイマー１１１が日焼けが起きるまでの残時間を予め定めた変化量（１秒）だけ変化させる、単位時間当たりの回数（カウントダウン回数）を更新する。つまり、本変形の紫外線測定装置１００は、１秒（単位時間）当たりにｍ回、日焼けが起きるまでの残時間を１秒（変化量）だけ変化させる。換言すれば、本変形の紫外線測定装置１００は、日焼けが起きるまでの残り時間を、実際の時間の１／ｍ秒に対して１秒変化させる。具体的には、紫外線測定装置１００は、図５のステップＳ５１０の処理に代えて、以下の処理を行う。
【００８８】
（ステップＳ５１０）ＣＰＵ１０１は、カウントダウン回数の値ｍ（ｍ＞１）を決定する。例えば、ＣＰＵ１０１は、ステップＳ５０８で算出した現在の時刻から日焼けが起きるまでの時間から、タイマー１１１が計測している日焼けが起きるまでの残り時間を除算した値を、ｍに決定する。ＣＰＵ１０１は、タイマー１１１が計測に用いるカウントダウン回数に、決定したｍ回を設定する。
【００８９】
設定後、タイマー１１１は、カウント間隔（実際の時間の１／ｍ秒）毎に、日焼けが起きるまでの時間を１秒減算する。例えば、日焼けが起きるまでの残り時間が３０分００秒のときにｍ＝２が設定された場合には、タイマー１１１は、０．５秒後に日焼けが起きるまでの残り時間を２９分５９秒とし、１秒後に２９分５８秒とするように、カウントダウンする。その後、ステップＳ５０５の処理に戻る。
【００９０】
これにより、実際の時間の１／ｍ秒毎に日焼けが起きるまでの残り時間が１秒減算されるので、ユーザーに時間が速く進む印象を与えることができ、より有効に注意喚起することができる。
【００９１】
上述の第四の実施形態及び変形例において、ＣＰＵ１０１は、以下のようにｍの値を決定してもよい。なお、以下のようにｍの値を決定する場合には、ＣＰＵ１０１は、ステップＳ５０８の処理を行わなくてもよい。
ＲＯＭ１０９又はＲＡＭ１１０は、紫外線の強度とタイマー変化量又カウントダウン回数とを対応付けた変化量情報を記憶する。この変化量情報は、例えば、紫外線の強度が大きくなるほど、対応付けられたタイマー変化量又カウントダウン回数が大きくなる情報である。ＣＰＵ１０１は、この変化量情報に基づいて、Ｓ５０７で特定した紫外線の強度に対応するタイマー変化量又カウントダウン回数を、ｍ秒に決定する。
また、ＣＰＵ１０１は、ステップＳ５０７で今回特定した紫外線強度から、前回（ステップＳ５０１またはステップ５０６）特定した紫外線強度を除算した値を、ｍの値に決定してもよい。つまり、ＣＰＵ１０１は、今回測定した紫外線強度と、それより前に測定した紫外線強度に基づいて、タイマー変化量又カウントダウン回数ｍを決定してもよい。
【００９２】
なお、上述の第四の実施形態及び変形例において、ＣＰＵ１０１は、ステップＳ５０９でタイマー１１１が計測している日焼けが起きるまでの残り時間よりも、ステップＳ５０８で算出した現在の時刻から日焼けが起きるまでの時間の方が長いと判定した後、タイマー変化量又カウントダウン回数をｍ秒（ｍ＜１）に設定してもよい。これにより、ユーザーに時間が遅く進む印象を与えることができ、より有効に日焼けに対する注意を喚起できる。
【００９３】
（第五の実施形態）
以下、本発明の第五の実施形態について、図面を参照しながら説明する。本実施形態の紫外線測定装置１００の構成は、第一の実施形態における紫外線測定装置１００の構成と同様の構成である。本実施形態の紫外線測定装置１００と第一の実施形態における紫外線測定装置１００とで異なる点は、本実施形態の紫外線測定装置１００は、日焼けが起きるまでの時間が経過した場合に、その経過後の超過時間（オーバータイム）を表示する。これは、日焼けが起きるまでの時間が経過した後は、ユーザーが日焼けしてしまうが、どのくらいの時間日焼けしてしまったかによって、ユーザーの日焼けに対する処置（アフターケア）も異なってくる。そのため、紫外線測定装置１００は、オーバータイムを表示することにより、ユーザーに対して日焼けしてしまった時間を報知する。
【００９４】
次に、本実施形態における紫外線測定装置１００の動作について説明する。図６は、本実施形態における紫外線測定装置１００の動作を示したフローチャートである。図６におけるステップＳ２０１〜Ｓ２０８の処理は、それぞれ、図３におけるＳ２０１〜Ｓ２０８の処理と同じであるので、説明を省略する。
【００９５】
（ステップＳ６０９）ＣＰＵ１０１は、日焼けが起きるまでの時間が経過したことを警告する表示を表示部１０８に表示させる。ＣＰＵ１０１は、オーバータイムに「０」を設定し、オーバータイムをカウントアップすることによりオーバータイムを計測するタイマー１１１を作動させる。その後、ステップＳ６１０に進む。なお、日焼けが起きるまでの時間が経過したことを警告する方法として、紫外線測定装置１００が音声出力部を備え、音声を用いて警告を行うようにしてもよい。
【００９６】
（ステップＳ６１０）ＣＰＵ１０１は、ユーザーが入力部１０４（警告ＳＴＯＰボタン）を押下したか否かを判定することにより、ステップＳ６０９の警告を停止することを示す警告ＳＴＯＰボタンＯＮの状態であるか否かを判定する。
警告ＳＴＯＰボタンが既に押下され、警告ＳＴＯＰボタンＯＮの状態であるとＣＰＵ１０１が判定した場合には処理を終了する。警告ＳＴＯＰボタンが未だ押下されず、警告ＳＴＯＰボタンＯＮの状態でない場合にはステップＳ６１１の処理に進む。
【００９７】
（ステップＳ６１１）ＣＰＵ１０１は、タイマー１１１が計測するオーバータイムを表示部１０８に表示させるように制御する。その後、ステップＳ６１２の処理に進む。
（ステップＳ６１２）ＣＰＵ１０１は、時刻計測部１０７が出力する現在の時刻と、ＲＡＭ１１０に記憶されている前回紫外線の強度を測定した時刻とに基づいて、前回紫外線の強度を測定した時刻からｎ分（一定時間）経過したか否かを判定する。時刻計測部１０７が出力する現在の時刻が、ＲＡＭ１１０に記憶されている前回紫外線の強度を測定した時刻からｎ分経過しているとＣＰＵ１０１が判定した場合にはステップＳ６１３の処理に進み、それ以外の場合にはステップＳ６１０の処理に戻る。なお、紫外線測定装置１００が紫外線の強度を測定する時間間隔（一定時間）は予め定められていてもよく、ユーザーの指定により任意に変更できるようにしてもよい。
【００９８】
（ステップＳ６１３）紫外線センサー１０５は、紫外線の強度に応じたアナログ信号をＡ／Ｄ変換部１０６に出力する。Ａ／Ｄ変換部１０６は、入力されたアナログ信号をデジタル信号に変換してＣＰＵ１０１に出力する。ＣＰＵ１０１は、入力されたデジタル信号に基づいて紫外線の強度を特定し、時刻計測部１０７が出力する現在の時刻と関連付けてＲＡＭ１１０に記憶させる。その後、ステップＳ６１０の処理に戻る。なお、ＣＰＵ１０１は、特定した紫外線の強度を、表示部１０８に表示させるように制御してもよい。
【００９９】
上述したとおり、本実施形態によれば、日焼けが起きるまでの時間が経過した場合に、オーバータイムを表示する。これにより、ユーザーに対して日焼けしてしまった時間を報知でき、ユーザーは、日焼けしてしまった時間に応じて、日焼けに対する処置（アフターケア）を選択できる。
【０１００】
以下、各実施形態における表示部１０８の表示例について説明する。
図７は、上述の第五の実施形態における表示部１０８の表示の一例を示す概略図である。図７は、図６のステップＳ６０９の処理から、１５分３０秒が経過したときの表示部１０８の表示例である。
図７の表示において、ＵＶ値は「６」であり、日焼け目安時間は「００分００秒」であり、オーバータイムは「１５分３０秒」である。
【０１０１】
ＣＰＵ１０１は、次の制御により、図７の表示を表示部１０８に表示させる。ＣＰＵ１０１は、直近のステップＳ６１３で特定した紫外線の強度を、ＵＶ値として表示させる。ＣＰＵ１０１は、タイマー１１１が計測する日焼けが起きるまでの残り時間を、日焼け目安時間として表示させる。なお、ステップＳ６０９の処理後は、日焼け目安時間は「０」となる。ＣＰＵ１０１は、ステップＳ６１１でオーバータイムを表示させる。
【０１０２】
図８は、上述の第一から第三、及び第五の実施形態における表示部１０８の表示の一例を示す概略図である。図８において、符号Ｖ１１を付した破線で囲った表示Ｖ１１は、ステップＳ１０３、Ｓ２０３、又はＳ３０３の処理による表示部１０８の表示例である。符号Ｖ１２を付した破線で囲った表示Ｖ１２は、ステップＳ１０８、Ｓ２０８、又はＳ３１４の処理による表示部１０８の表示例である。表示Ｖ１２は、表示Ｖ１１の表示処理がされた１０分後にステップＳ１０６、Ｓ２０６、又はＳ３０６の処理が実行され、その処理によって表示されたものである。
【０１０３】
図８の表示Ｖ１１において、ＵＶ値は「３」であり、日焼け目安時間は「６０分００秒」である。表示Ｖ１２において、前回のＵＶ値は「３」であり、今回のＵＶ値は「６」である。表示Ｖ１２において、日焼け目安時間は「３０分００秒」であり増減時間は「−２０」分である。
【０１０４】
ＣＰＵ１０１は、次の制御により、図８の表示Ｖ１２を表示部１０８に表示させる。ＣＰＵ１０１は、今回のステップＳ１０６、Ｓ２０６、又はＳ３０６で特定した紫外線強度を今回のＵＶ値として表示させ、前回（ｎ分前）特定した紫外線強度を前回ＵＶ値として表示させる。ＣＰＵ１０１は、ステップＳ１０７で算出した現在の時刻から日焼けが起きるまでの時間を、日焼け目安時間として表示させる。ＣＰＵ１０１は、タイマー１１１が計測中である日焼けが起きるまでの残り時間（図８の場合は「５０」分）から、ステップＳ１０７で算出した現在の時刻から日焼けが起きるまでの時間（図８の場合は「３０」分）を減算し、減算後の値（図８の場合は「−２０」分）を増減時間として表示させる。
【０１０５】
図９は、上述の第一から第五の実施形態における表示部１０８の表示の一例を示す概略図である。図９は、測定したＵＶ値を、測定した順序（ＲＡＭ１１０が紫外線の強度と関連付けて記憶する時刻の順序）に並べて表示させた場合の一例である。
図９の表示において、ＵＶ値は「６」であり、日焼け目安時間は「３０分００秒」である。この表示において、ＵＶ変動情報が表示されている。ＵＶ変動情報は、横軸を時刻、縦軸をＵＶ値としたグラフで表されている。横軸では、左に向かうほど後の時刻（新しい測定）となり、右に向かうほど前の時刻（古い測定）となる。縦軸では、ＵＶ値の範囲、「１１」以上、「８」以上「１０」以下、「６」以上「７」以下、「３」以上「５」以下、「１」以上「２」以下、が単位として用いられている。
図９のＵＶ変動を表すグラフでは、グラフ中のメモリが塗りつぶされている。例えば、時間方向の左から一番目のメモリは、最新の測定結果を表し、直近で測定された紫外線の強度のＵＶ値が「６」以上「７」以下の範囲であることを示す。時間方向の左から二番目のメモリは、２番目に新しい測定結果を表し、前回（直近の測定のｎ分前）に測定された紫外線の強度のＵＶ値が「３」以上「５」以下の範囲であることを示す。
【０１０６】
ＣＰＵ１０１は、次の制御により、図９の表示を表示部１０８に表示させる。ＣＰＵ１０１は、今回のステップＳ１０６、Ｓ２０６、Ｓ３０６、Ｓ５０７、又はＳ６１３で特定した紫外線強度のＵＶ値が属するＵＶ値の範囲を選択する。ＣＰＵ１０１は、選択した範囲を示す縦軸の値（例えば、ＵＶ値の範囲が「６」以上「７」以下の場合は、「３」）を特定する。ＣＰＵ１０１は、表示されているグラフのメモリを時間方向（右方向）に１ずらし、時間方向の左から一番目のメモリに対して、特定した縦軸の値以下のメモリを塗りつぶしたグラフを表示させる。
【０１０７】
図１０は、上述の第一から第三、及び第五の実施形態における表示部１０８の表示の別の一例を示す概略図である。図１０において、符号Ｖ２１、Ｖ３１、Ｖ４１を付した破線で囲った表示Ｖ２１、Ｖ３１、Ｖ４１は、それぞれ、測定されたＵＶ値が「３」、「６」、「７」の場合（それぞれ、日焼けが起きるまでの残り時間が「６０」分、「３０」分、「２０」分）における表示例である。符号Ｖ２２、Ｖ３２、Ｖ４２を付した破線で囲った表示Ｖ２２、Ｖ３２、Ｖ４２は、それぞれ、表示Ｖ２１、Ｖ３１、Ｖ４１の表示処理の１分後に表示処理された表示例である。
【０１０８】
表示Ｖ２２、Ｖ３２、Ｖ４２において、円状に表示されたメモリは６０個のメモリである。この６０個のメモリ全体は、ステップＳ１０２、Ｓ１０７、Ｓ２０２、Ｓ２０７、Ｓ３０２、又は、Ｓ３０８、Ｓ３１０、或いはＳ３１１で算出された日焼けが起きるまでの残り時間を表す。例えば、表示Ｖ２２、Ｖ３２、Ｖ４２において、６０個のメモリ全体は、それぞれ、６０分、３０分、２０分を表す。
これらメモリのうちの白抜きのメモリが、表示時点におけるタイマー１１１が計測する日焼けが起きるまでの残り時間を表す。換言すれば、黒塗りのメモリが、タイマーの作動から、表示時点までの経過時間を表す。また、この黒塗りのメモリは、第四の実施形態におけるタイマー変化量にも相当する。表示Ｖ２２、Ｖ３２、Ｖ４２では、タイマーの作動（表示Ｖ２１、Ｖ３１、Ｖ４１）から１分経過後に、それぞれ、１個、２個、３個のメモリが黒塗りにされる。
【０１０９】
ＣＰＵ１０１は、次の制御により、図１０の表示を表示部１０８に表示させる。ＣＰＵ１０１は、ステップＳ１０２、Ｓ１０７、Ｓ２０２、Ｓ２０７、Ｓ３０２、又は、Ｓ３０８、Ｓ３１０、或いはＳ３１１で算出した日焼けが起きるまでの残り時間から、６０分を除算する。ＣＰＵ１０１は、除算結果の値の個数のメモリを、１分毎に黒塗りにさせて表示させる。
【０１１０】
なお、図１０の表示では、メモリは、円状に表示されているが、本発明はこれに限らず、例えば、直線状に表示されてもよいし、円以外の曲線状に表示されてもよい。また、メモリは、図形を２次元に区切ったもの（例えば、矩形図形の内部を、縦と横に一定間隔で区切ったもの）でもよく、そのメモリが除々に黒塗りにされてもよい。
また、図１０の表示において、日焼けが起きるまでの残り時間を表すメモリを表示するか否かをユーザーに選択させてもよい。例えば、ＣＰＵ１０１は、ユーザーが入力部１０４を押下したか否かを判定し、判定結果に応じてメモリを表示させ、又は、消去させる制御をしてもよい。つまり、ＣＰＵ１０１は、表示部１０８が１分（単位時間）当たりの変化量を表示するか否かを制御する。
【０１１１】
また、上記各実施形態において、ＣＰＵ１０１は、日焼けが起きるまでの残り時間経過後、例えば、ステップＳ１０９、Ｓ２０９、Ｓ３１５、Ｓ５１１、Ｓ６０９の処理（警告）後、オーバータイムに応じて、表示部１０８が表示に用いる色を表す情報（例えば、グレースケール）を更新してもよい。この色を表す情報は、例えば、表示される文字毎、画像毎、背景に予め定められたものである。
例えば、ＣＰＵ１０１は、オーバータイムが大きくなるほど、表示全体が黒くなるように、表示を更新してもよい。具体的には、ＣＰＵ１０１は、通常の表示に用いるグレースケール（白の値（例えば２５５）が高く、黒の値が低い（例えば０））の値から黒を表す値を減算し、減算後の値を予め定めた値（例えば６０）で除算する。ＣＰＵ１０１は、オーバータイムの単位時間（例えば１分）毎に、通常の表示に用いるグレースケールの値から、除算後の値を減算する。つまり、ＣＰＵ１０１は、日焼けが起きるまでの時間が経過した場合に、色を表す情報が黒色を表す情報に近づくように、色を表す情報を更新する。
これにより、日焼けが起きるまでの時間が経過した場合に表示全体が黒くなるので、ユーザーに対して、あたかも時計も日焼けしている印象を与えることができ、より有効に日焼けに対する注意を喚起できる。
【０１１２】
また、ＣＰＵ１０１は、経過時間に基づいて、グレースケールの値を反転させてもよい。例えば、除算後の値が−（マイナス）になった場合、ＣＰＵ１０１は、その絶対値をグレースケールの値として表示させてもよい。また、例えば、ＣＰＵ１０１は、経過時間が大きくなるほど、表示部１０８の表示のコントラストを高くしてもよいし、又は、コントラストを低くしてもよい。
【０１１３】
なお、上述した各実施形態における紫外線測定装置１００が備える各部の機能全体あるいはその一部は、これらの機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、ＯＳや周辺機器等のハードウェアを含むものとする。
【０１１４】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶部のことをいう。さらに「コンピュータ読み取り可能な記録媒体」とは、インターネット等のネットワークや電話回線等の通信回線を介してプログラムを送信する場合の通信線のように、短時刻の間、動的にプログラムを保持するもの、その場合のサーバやクライアントとなるコンピュータシステム内部の揮発性メモリのように、一定時刻プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【０１１５】
以上、本発明の各実施形態について説明したが、本発明は、上記各実施形態に限定されるものではなく、本発明の趣旨を逸脱しない範囲において種々の変更を加えることが可能である。例えば、紫外線測定装置１００を腕時計型の装置としてもよく、容易に持ち運びが可能なように小型の装置としてもよい。また、紫外線測定装置１００を他の電子機器に組み込んでもよい。
【符号の説明】
【０１１６】
１００・・・紫外線測定装置、１０１・・・ＣＰＵ、１０２・・・発振回路、１０３・・・分周回路、１０４・・・入力部、１０５・・・紫外線センサー、１０６・・・Ａ／Ｄ変換部、１０７・・・時刻計測部、１０８・・・表示部、１０９・・・ＲＯＭ、１１０・・・ＲＡＭ、１１１・・・タイマー、１１２・・・電池
【図１】
2011215133.tif 000003
【図２】
2011215133.tif 000004
【図３】
2011215133.tif 000005
【図４】
2011215133.tif 000006
【図５】
2011215133.tif 000007
【図６】
2011215133.tif 000008
【図７】
2011215133.tif 000009
【図８】
2011215133.tif 000010
【図９】
2011215133.tif 000011
【図１０】
2011215133.tif 000012
【図１１】
2011215133.tif 000013